(57)【要約】【課題】緊急停止時の車両を安全にかつ最短の制動距離で停止させることができる制動距離短縮装置を提供する。【解決手段】車両の底面に設けられた複数の制動手段と、現在の車両状態を検出する車両状態検出手段と、前記複数の制動手段の動作を制御する制動板制御手段と、を備え、前記複数の制動手段は、それぞれ車両の底部と路面との接触面積を増減可能な制動板部を有し、前記制動板制御手段は、前記車両状態検出手段により検出された車両状態に応じて、前記複数の制動手段に設けられた前記制動板部と路面との接触面積を増減する制御を行うことを特徴とする制動距離短縮装置。【選択図】図１
2014144689.tif 000002
【特許請求の範囲】
【請求項１】
車両の底面に設けられた複数の制動手段と、
現在の車両状態を検出する車両状態検出手段と、
前記複数の制動手段の動作を制御する制動板制御手段と、を備え、
前記複数の制動手段は、それぞれ車両の底部と路面との接触面積を増減可能な制動板部を有し、
前記制動板制御手段は、前記車両状態検出手段により検出された車両状態に応じて、前記複数の制動手段に設けられた前記制動板部と路面との接触面積を増減する制御を行うことを特徴とする制動距離短縮装置。
【請求項２】
前記複数の制動手段は、車両の底面の前端部、後端部、右側端部及び左側端部に設けられていることを特徴とする請求項１に記載の制動距離短縮装置。
【請求項３】
前記制動板部は、路面との接触面にライニング材を着脱自在としたことを特徴とする請求項１又は請求項２に記載の制動距離短縮装置。
【請求項４】
前記車両状態検出手段により検出される現在の車両状態は、車両の姿勢、車両の走行速度、車両のブレーキに対する押圧力であることを特徴とする請求項１〜３の何れか１項に記載の制動距離短縮装置。
【請求項５】
前記制動板制御手段は、前記車両状態検出手段により検出される現在の車両状態が停止状態のときに、前記複数の制動手段が有する前記制動板部を、手動操作で任意に選択して路面と接触させることを可能としたことを特徴とする請求項４に記載の制動距離短縮装置。
【発明の詳細な説明】
【技術分野】
【０００１】
本発明は、車両が安全に停止するための距離を短縮する制動距離短縮装置に関するものである。
【背景技術】
【０００２】
従来、走行中の自動車が停止する場合は、車輪に備えたブレーキにより車輪の回転を制動することで停止させている。しかし、従来のブレーキでは、急ブレーキ時に車輪がロックすることで滑走（スリップ）してしまい、路面の状態（雨天時や降雪時における路面の濡れや凍結）や車輌の速度によっては、十分な制動力が働かず制動距離が長くなっていた。
【０００３】
このため、近年の自動車のブレーキには、急ブレーキ時や路面の状態にかかわらず、車輪のロックによる滑走を低減する装置であるアンチロック・ブレーキ・システム（Ａｎｔｉｌｏｃｋ  Ｂｒａｋｅ  Ｓｙｓｔｅｍ、略称：ＡＢＳ）を備えたものが知られている。しかしながら、車輪による制動力だけでは、自動車の緊急停止時の制動距離の短縮には限界がある。
【０００４】
そこで、可撓性鋼板を主材とする接地ブレーキ片を櫛歯状又は暖簾状に設けた接地体を車体の巾方向に設け、この接地体を緊急制動時に降下させて接地ブレーキ片の自由端側を路面に接地させるようにした自動車用緊急制動装置が提案されている（特許文献１参照。）。
【０００５】
また、車両の前後輪間にて車体底部に水平状態で配置された制動板部材と、制動板部材を下方に移動させる駆動装置と、車両が緊急停止状態になったときに駆動装置により制動板部材を路面に押し付ける駆動制御装置とを備えた車両用緊急停止装置が提案されている（特許文献２参照。）。
【先行技術文献】
【特許文献】
【０００６】
【特許文献１】特開２００２−２６４７８３号公報
【特許文献２】特開２００７−１９６８９２号公報
【発明の概要】
【発明が解決しようとする課題】
【０００７】
しかしながら、特許文献１の自動車用緊急制動装置では、接地ブレーキ片の自由端が路面上を摺動移動する構造のため、路面の著しい損傷を防ぐことはできるが、制動距離を短縮する為の充分な路面との摩擦を生じさせることは困難であり、制動距離を大幅に短縮することはできなかった。
【０００８】
また、特許文献２の車両用緊急停止装置では、十分な大きさの制動板部材を路面に押し付けることで、路面の状態がフラットな場合には、制動板部材と路面との接地面積を大きくすることができ、制動板部材と路面との摩擦により制動距離を短縮することはできる。しかし、路面の状態は常にフラットであるとは限らず、大きな凹凸があった場合には、制動板部材を効率よく路面に接触させることができず、制動距離を短縮することは困難である。
【０００９】
また、車両の車体底部の前後輪間に水平状態で所定の大きさの制動板部材が配置されているので、制動板部材を路面に押し付けた場合に、車輪と路面との摩擦抵抗よりも制動板部材と路面との摩擦抵抗が大きくなり、車両の姿勢が安定せずスピンや横滑りを発生させる虞があった。
【００１０】
本発明は、このような現状に鑑み、車両の緊急停止時に、従来のブレーキによる車輪と路面との摩擦に加え、さらに、路面との接地面積を増加させるとともに、車両を安全に最短の制動距離で停止させることができる制動距離短縮装置を提供することを目的とする。
【課題を解決するための手段】
【００１１】
上記の課題を解決するために、請求項１に記載の発明は、車両の底面に設けられた複数の制動手段と、現在の車両状態を検出する車両状態検出手段と、前記複数の制動手段の動作を制御する制動板制御手段と、を備え、前記複数の制動手段は、車両と路面との接触面積を増加させる制動板部をそれぞれ有し、前記制動板制御手段は、前記車両状態検出手段により検出された車両状態に応じて、前記複数の制動手段に設けられた前記制動板部と路面との接触面積を増減する制御を行うことを特徴とする制動距離短縮装置とした。
【００１２】
請求項２に記載の発明は、請求項１に記載の制動距離短縮装置において、前記複数の制動手段は、車両の底面の前端部、後端部、右側端部及び左側端部に設けられていることを特徴とする。
【００１３】
請求項３に記載の発明は、請求項１又は請求項２に記載の制動距離短縮装置において、前記制動板部は、路面との接触面に接触部材を着脱自在としたことを特徴とする。
【００１４】
請求項４に記載の発明は、請求項１〜３の何れか１項に記載の制動距離短縮装置において、前記車両状態検出手段により検出される現在の車両状態は、車両の姿勢、車両の走行速度、車両のブレーキに対する押圧力であることを特徴とする。
【００１５】
請求項５に記載の発明は、請求項４に記載の制動距離短縮装置において、前記制動板制御手段は、前記車両状態検出手段により検出される現在の車両の走行速度が停止状態のときに、状態手動操作で前記制動板部を路面と接触させることを可能としたことを特徴とする。
【発明の効果】
【００１６】
請求項１記載の発明によれば、車両の底面に複数の制動手段を設け、現在の車両状態に応じて、制動板制御手段により複数の制動手段がそれぞれ有する制動板部と路面との接触面積を増減する制御を行うので、例えば、当該車両に急ブレーキがかけられた場合、複数の制動手段がそれぞれ有する制動板部を路面と接触させて、車輪以外に車両の底部と路面との接触面積を増加させることで、制動板部と路面との摩擦により、車両の制動距離を飛躍的に短縮することが可能となる。
【００１７】
請求項２記載の発明によれば、車両が４輪自動車の場合、自動車の底面の端部の複数の位置（例えば、前端の前輪間、後端の後輪間、右側端の右前輪と右後輪の間、左側端の左前輪と左後輪の間など）に制動手段を配置することにより、車両状態（具体的には、車両の姿勢、直線又はカーブなどの走行状態）に応じてバランス良く制動板部と路面との接触面積を増減させることができ、安全に車両の制動距離を短縮することが可能となる。
【００１８】
請求項３記載の発明によれば、制動板部の路面との接触面の接触部材を着脱自在とすることで、接触部材の交換が容易となり、制動板部と路面との接触が繰り返し行われ、接触部材が磨耗して制動板部と路面との摩擦計数が低下して所望する制動距離の短縮が得られない場合でも、接触部材のみを交換することで対応することができる。また、例えば、冬期の雪道や梅雨時の濡れた路面に最適な接触部材を選択して容易に交換することができるので、季節や環境に適した接触部材を使用することが可能となる。なお、本実施例における接触部材は、例えば、ゴム、合成樹脂、特殊素材などの摩擦計数が高く対磨耗性に優れたライニング材を好適に用いることができる。
【００１９】
請求項４記載の発明によれば、制動板制御手段は、車両状態検出手段により、車両の姿勢、車両の走行速度、車両のブレーキに対する押圧力などの現在の車両状態に応じて制動板部と路面との接触面積を増減する制御を行うことができるので、車両の制動距離を安全短縮することが可能となる。
【００２０】
請求項５記載の発明によれば、制動板制御手段は、車両状態検出手段により、現在の車両状態の走行速度が“０”（つまり、停止状態）である時は、複数の制動手段が有する制動板部を、手動操作で任意に選択して路面と接触させることができるので、例えば、複数の制動手段をパンクした車輪を交換するときのジャッキ代わりに用いることが可能となる。
【図面の簡単な説明】
【００２１】
【図１】本実施例における制動距離短縮装置の４輪車への取り付けを示す図である。
【図２】本実施例における制動距離短縮装置の接触部材を示す図である。
【図３】本実施例における制動距離短縮装置の制動板制御装置を示すブロック図である。
【図４】本実施例における制動距離短縮装置の４輪車への取り付けを示す図である。
【図５】本実施例における制動距離短縮装置の二輪車への取り付けを示す図である。
【発明を実施するための形態】
【００２２】
以下、本実施例に係る制動距離短縮装置の一例について、図面を参照して説明する。
［脱硫装置の概要］
【００２３】
まず、本実施例における制動距離短縮装置の構成を、図１〜４を参照して説明する。なお、以下の本実施例にいては、制動距離短縮装置が取り付けられる車両は、トラックなどの大型の４輪自動車である場合を一例として説明する。
【００２４】
図１に示すように、本実施例における制動距離短縮装置を構成する複数の制動手段１０は、車両５０の底面５１の左右前輪５２Ｒ、Ｌ間の前端部、左右後輪５３Ｒ、Ｌ間の後端部、右前輪５２Ｒと右後輪５３Ｒの間の右側端部、左前輪５２Ｒと左後輪５３Ｒの間の左側端部の４箇所に設けられている。制動手段１０は、車両５０の下方の路面６０との接触面積を増減させる制動板部１１と、制動板部１１を路面に接触させる為に昇降させる昇降部１２と、昇降部１２と制動板部１１を連結する連結棒１３により構成されている。
【００２５】
車両５０の任意の位置（例えば、運転席後方）には、複数の制動手段１０に設けられた制動板部１１と路面との接触面積を増減する制御を行う制動板制御手段２０が設けられている。また、車両５０には、図示はしないが、現在の車両状態を検出する車両状態検出手段（車両状態検知部２１、姿勢検知部３１、速度検知部３２、ブレーキ押圧力検知部３３等、図３参照）が設けられている。そして、詳細は後述するが、制動板制御手段２０は、車両状態検出手段により検出した現在の車両状態に応じて、複数の制動手段１０に設けられた制動板部１１と路面６０との接触面積を増減する制御を行う。
【００２６】
車両５０の底面５１に設けられている各制動手段１０は、それぞれ２個の昇降部１２を有しており、各昇降部１２から下方に昇降自在とした連結棒１３の下端に制動板部１１が連結されている。なお、図示はしないが、連結棒１３と制動板部１１との連結部には、接触した路面６０の形状に合わせて制動板部１１が変位する角度調節部が設けられている。これにより、ある程度の路面６０の形状に追従して制動板部１１を接触させて接触面積の増加を図ることが可能となる。
【００２７】
昇降部１２は、例えば、周知の油圧シリンダなどが好適に用いられ、後述の制動板制御手段２０（図４参照）からの指示により、連結棒１３を車両５０の底面５１から下方の路面６０に向けて降下させることにより制動板部１１を路面６０に接触させる。なお、昇降部１２は油圧シリンダに限定されるものではなく、連結棒１３を昇降自在とし、所定の圧力で制動板部１１を路面６０に接触させることができるものであれば、機械式や空圧式のシリンダを用いてもよい。
【００２８】
制動板部１１は、制動板１１ａと路面６０と接触する部分である接触部材１１ｂとにより構成されている。制動板１１ａは、所定の強度のある鉄板や強化プラスチックなどで構成され、接触部材１１ｂは、例えば、ゴム、合成樹脂、特殊素材などの摩擦計数が高く対磨耗性に優れた素材であるライニング材が好適に用いられる。
【００２９】
接触部材１１ｂは制動板１１ａに着脱自在としている。このため、接触部材１１ｂと路面との接触が繰り返し行われ、接触部材１１ｂとして用いられるライニング材が磨耗して路面との摩擦計数が低下して所望する制動距離の短縮が得られない場合でも、接触部材１１ｂのみを交換することで対応することができる。また、接触部材１１ｂは容易に交換することができるので、例えば、冬期の雪道や梅雨時の濡れた路面に最適なライニング材を選択して接触部材１１ｂとして用いることで、季節や環境に適した接触部材１１ｂを使用することが可能となる。
【００３０】
車両５０の底面５１の前端部及び後端部に設けられる制動手段１０は、制動板部１１が車両５０の幅方向に長い長方形に形成され、制動板部１１と路面６０との接触面積を増加することができる構成としている。車両５０の底面５１の右側端部及び左側端部に設けられる制動手段１０は、制動板部１１が車両５０の左右前輪５２Ｒ，Ｌと左右後輪５３Ｒ，Ｌとの間に進行方向に長い長方形に形成され、制動板部１１と路面６０との接触面積を増加することができる構成としている。
【００３１】
図１（ａ）に示すように、通常の車両５０の走行中は、複数の制動手段１０の制動板部１１は、車両５０の底面５１に密着するように引き上げられた状態が維持され、走行中に無駄な空気抵抗が生じることが無いようにしている。なお、図１（ａ）においては、制動板部１１は、車両５０の底面５１に露出して張り付いた状態としているが、走行中の制動板部１１は、車両５０の底面５１に完全に収納されるようにしてもよい。
【００３２】
そして、車両５０の緊急停止時には、図１（ｂ）に示すように、複数の制動手段１０は、各昇降部１２により連結棒１３を車両５０の底面５１から下方の路面６０に向けて降下させて各制動板部１１と路面６０とをそれぞれ接触させる。これにより、車両５０は、左右前輪５２Ｒ，Ｌ及び左右後輪５３Ｒ，Ｌに加えて、複数の制動板部１１により路面６０との接触面積が増加するので、車両５０の路面６０との摩擦抵抗の向上により緊急停止時の車両５０の制動距離を飛躍的に短縮することを可能としている。
【００３３】
一般に車両５０を緊急停止させると車両５０の前方に荷重がかかるノーズダイブが発生する。このノーズダイブにより、車両５０の荷重は、左右後輪５３Ｒ，Ｌよりも左右前輪５２Ｒ，Ｌのほうが大きくなり、緊急停止時の車両５０の姿勢が不安定になる要因となる。
【００３４】
しかし、本実施例においては、図１（ｂ）に示すように、車両５０の緊急停止時には、車両５０の底面５１の前端部に設けられ、車両５０の幅方向に長方形に形成された制動板部１１が路面６０と接触する。これにより、ノーズダイブにより車両５０の前方にかかる荷重を緩和（つまり、ノーズダイブを防止）することができる。つまり、車両５０の緊急停止時には、左右前輪５２Ｒ，Ｌ、左右後輪５３Ｒ，Ｌ及び複数の制動板部１１に均等に車両５０の荷重がかかることになり、緊急停止時の制動距離を短縮することができることに加え、緊急停止時の車両５０の姿勢も安定させることが可能となる。
【００３５】
図２に示すように、制動板部１１の進行方向の先端部は、上方に反るように形成され、制動板部１１が路面６０と接触した場合に、路面６０の凹凸と制動板部１１の先端部との衝突を緩和し、制動板部１１の破損を防止する形状としている。また、複数の制動手段１０の制動板部１１と路面６０とをそれぞれ接触させる場合は、各制動板部１１と路面６０との接触を一定の押圧により維持するが、複数の制動手段１０が有する各昇降部１２は、所謂ダンパーとしての機能を併せ持ち、路面６０の凹凸などによる制動板部１１にかかる一時的な衝撃を吸収するようにしている。
【００３６】
また、図２（ｂ）に示すように、制動板部１１の接触部材１１ｂを独立した複数の接触部材１１ｂとして構成することができる。この場合は、複数の接触部材１１ｂは、個々に独立した接続部材１１ｃ（図２（ｃ）参照）や１１ｄ（図２（ｄ）参照）により制動板１１ａに接続されている。
【００３７】
図２（ｃ）に示す接続部材１１ｃは、コイル状のスプリングが用いられ、このスプリングの一端に接触部材１１ｂを連結することで、路面６０の微細な凹凸を接続部材１１ｃが吸収する構成としている。
【００３８】
図２（ｄ）に示す接続部材１１ｄは、伸縮自在のジャバラで形成され、このジャバラの一端に接触部材１１ｂを連結することで、路面６０の微細な凹凸を接続部材１１ｄが吸収する構成としている。
【００３９】
以下、図３を参照して、本実施例における制動距離短縮装置を構成する制動板制御手段２０の構成を説明する。制動板制御手段２０は、車両状態検知部２１、制御部２２、制動板制御部２３から構成される。
【００４０】
車両状態検知部２１は、車両５０に設置されている各種検知部（姿勢検知部３１、速度検知部３２、ブレーキ押圧力検知部３３、手動スイッチ検知部３４）から検出した各種信号を制御部２２に供給する。車両状態検知部２１は、本実施例における車両状態検出手段として機能するものである。
【００４１】
姿勢検知部３１は車両５０の走行状態（直進、左右コーナリングなど）や車両の姿勢（前後左右の傾きなど）を所定の検知信号として車両状態検知部２１へ供給する。速度検知部３２は車両の走行速度を所定の検知信号として車両状態検知部２１へ供給する。ブレーキ押圧力検知部３３は車両５０において運転手によるブレーキ操作の押圧力を所定の検知信号として車両状態検知部２１へ供給する。手動スイッチ検知部３４は各制動手段１０に応じて設けられた手動操作スイッチ（図示せず）の押下を所定の検知信号として車両状態検知部２１へ供給する。
【００４２】
制御部２２は、図示しないＣＰＵ（中央演算装置）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、フラッシュメモリなどで構成されている。ＲＯＭには各制動手段１０を動作させる制御プログラムが記憶されており、ＣＰＵは、この制御プログラムをＲＯＭから読み出して実行することにより制動板制御手段２０として機能する。つまり、制御プログラムは、上述した車両状態検知部２１により検出した現在の車両状態に応じて、複数の制動手段１０に設けられた制動板部１１と路面６０との接触面積を増減する制御を行う。
【００４３】
制動板制御部２３は、制御部２２からの指示に基づいて、複数の制動手段１０に設けられた制動板部１１を昇降させ、制動板部１１と路面６０との接触及び非接触を制御する。
【００４４】
なお、車両５０に設置されている図示しない各種検知部（姿勢検知部３１、速度検知部３２、ブレーキ押圧力検知部３３、手動スイッチ検知部３４）としては、近年の車両５０が備える既存の検出器が用いられ、各々の機能等の詳細は周知であるので省略する。
【００４５】
以下、本実施例における制動板制御手段２０による複数の制動手段１０に設けられた制動板部１１と路面６０との接触面積を増減する制御の一例について説明する。
【００４６】
制動板制御手段２０は、車両状態検知部２１により、車両姿勢は平行状態で直進中であり、走行速度が一定速度（例えば、６０ｋｍ）以上、運転手によるブレーキ操作の押圧力が一定値を超えた（所謂、急ブレーキ）状態であることを検出した場合は、複数の制動手段１０に設けられた各制動板部１１全てを路面６０に接触させる。
【００４７】
これにより、当該車両５０は、車輪以外の各制動板部１１と路面６０との摩擦により、制動距離を短縮することができる。そして、制動板制御手段２０は、各制動板部１１を路面６０と接触させている間も、車両姿勢に変化が生じていないか監視し、例えば、車両姿勢が直進状態ではなく左右の回転状態に変化したことを検知すると、車両５０の底面５１の右側端部及び左側端部に設けられた制動手段１０の制動板部１１と路面６０とが接触する圧力を調整して、車両姿勢が直進状態に維持できるように調整する。
【００４８】
制動板制御手段２０は、車両状態検知部２１により、走行速度が所定の速度（例えば、５ｋｍ）以下になったことを検出すると、複数の制動手段１０に設けられた制動板部１１と路面６０との接触を解除して、各制動板部１１を通常の走行位置に復帰させる。
【００４９】
このような制御により、本実施形態における制動距離短縮装置は、安全に車両の制動距離を短縮することが可能となる。
【００５０】
なお、上記制御例は単なる一例であり、制動板制御手段２０は、車両状態検知部２１が検知した車両状態に応じて、例えば、車両の走行速度が高速でなかった場合（車両の走行速度が２０ｋｍ以下の場合は）、車両５０の底面５１の前端部及び後端部に設けられる制動手段１０のみ作動させるなど、車両状態に応じた制御を行うことができる。
【００５１】
また、上記制御例では、あくまで運転手が急ブレーキ（ブレーキの押圧力が一定値以上）をした場合に、車両５０の制動距離の短縮を図る制御を行うようにしているが、ブレーキの押圧力が大きくなるにつれて、複数の制動手段１０に設けられた各制動板部１１を、一度に路面６０に接触させるのではなく、例えば、複数の制動手段１０に設けられた各制動板部１１を段階的に増やして路面６０と接触させて制動距離を短縮するようにすることもできる。
【００５２】
車両状態検知部２１により、走行速度が“０”（つまり、停止状態）のときに、手動スイッチ検知部３４から各制動手段１０に応じて設けられた手動操作スイッチが押下されると所定の検知信号を車両状態検知部２１へ供給する。制動板制御手段２０は、複数の制動手段１０が有する制動板部１１のうち、押下されたスイッチに対応する制動手段１０に設けられた制動板部１１を路面６０と接触させる。
【００５３】
このとき、制動板部１１と路面６０との接触する圧力を、通常の制動距離を短縮する場合より、例えば、車両の前後輪を浮かせることができる程度に強くする。これにより、複数の制動手段１０をパンクした車輪を交換するときなどのジャッキ代わりとして使用することができる。
【００５４】
また、上述した車両５０に設置されている各種検知部（姿勢検知部３１、速度検知部３２、ブレーキ押圧力検知部３３）以外にも、近年の車両５０には、車両５０への衝撃を感知し、運転手の安全を守る為にエアバックを作動させる衝撃検知部等を備えている。
【００５５】
そこで、本実施例においても上記衝撃検知部を備え、制動板制御手段２０は、例えば、車両５０に対する右側からの衝撃を検知すると、車両５０の底面５１の左側端部に設けられた制動手段１０の制動板部１１と路面６０とを接触させることで、車両５０の横転を防ぎ、運転手の安全を図ることが可能となる。
【００５６】
またさらに、制動板制御手段２０は、後方からの車両５０への衝撃を検知すると、まず、車両５０の底面５１の前端部に設けられた制動手段１０の制動板部１１を路面６０と接触させ、その後、車両５０の緊急停止時と同様に、車両５０の底面５１に設けられた全ての制動手段１０の制動板部１１を路面６０と接触させる制御を行う。これにより、車両５０が後方から他の車両等に追突された場合の玉突き事故等を防止することができる。
【００５７】
このように、本実施例に係る制動距離短縮装置は、車両５０の緊急停止時における制動距離の短縮のみならず、複数の制動手段１０が有する各制動板部１１を選択して路面６０と接触させたり、接触圧を調整したりする制御を行うことで、車両５０に発生する様々な事故等に対応して運転手の安全を図ることも可能となる。
【００５８】
また、図４に示すように、本実施例における制動距離短縮装置を構成する複数の制動手段１０のうち、車両５０の底面５１の後端部に設けられている制動手段１０を、車両５０の略中央から左右に分割された右制動手段１０ａ及び左制動手段１０ｂとして構成することもできる。
【００５９】
この構成により、制動板制御手段２０は、各制動板部１１を路面６０と接触させている間も、車両姿勢に変化が生じていないか監視し、例えば、車両姿勢が直進状態ではなく右回転状態に変化したことを検知すると、車両５０の底面５１の左側端部に設けられた制動手段１０の制動板部１１と路面６０とが接触する圧力を強くするとともに、車両５０の底面５１の後端部に左右に分割して設けられている左制動手段１０ｂの制動板部１１と路面６０とが接触する圧力を強くするように調整して、右回転状態の車両姿勢を直進状態に戻す制御を行う。これにより、緊急停止時の車両５０の姿勢をより安定させることができ、制動距離の短縮を図ることが可能となる。
【００６０】
以下、上述した制動距離短縮装置を二輪車（オートバイ）に適用した変形例を、図５を参照して説明する。なお、以下の説明では、上述した実施例と異なる点のみを説明する。
【００６１】
図５（ａ）に示すように、二輪車７０の車体の左右両側の略中央部に２箇所の制動手段１０が設けられている。図４に示す制動手段は、昇降部１２と制動板部１１とが連結棒１３ではなく、ジャバラ状の連結部１３ａ（例えば、マジックハンドを伸縮させるものと同じ）で連結されている。
【００６２】
そして、図示はしない制動板制御手段２０により、二輪車７０の運転手により走行中の急ブレーキを検知すると、図５（ｂ）に示すように、２箇所の制動手段１０に設けられたジャバラ状の連結部１３ａを均等に伸長させて、制動板部１１を路面６０と接触させて制動距離の短縮を図る。
【００６３】
このように、二輪車７０に制動距離短縮装置を搭載する場合は、ただでさえ不安定な二輪車７０の姿勢を崩すことがないように、制動手段１０の制動板部１１と路面６０との接触する圧力が必要以上に大きくならないようにすることが望ましい。また、二輪車７０に制動距離短縮装置を用いた場合は、二輪車７０が停止時に手動スイッチにより制動手段１０の制動板部１１を路面６０と接触させることで、スタンドの代わりとして用いることができる。
【００６４】
上述した実施例においては、４輪自動車（例えば、トラックなどの大型車）や二輪車などに制動距離短縮装置を搭載した場合を一例として説明してきたが、本発明にかかる制動距離短縮装置はこれに限定されるものではなく、普通自動車、軽自動車及び三輪車などにも搭載することが可能である。
【００６５】
以上、上述した実施例を通して本発明を説明してきたが、本発明はこれらに限定されるものではない。また、上述した各効果は、本発明から生じる最も好適な効果を列挙したに過ぎず、本発明による効果は、実施例に記載されたものに限定されるものではない。
【符号の説明】
【００６６】
１０  制動手段
１１  制動板部
１２  昇降部
１３  連結棒
２０  制動板制御手段
５０  車両
６０  二輪車
【図１】
2014144689.tif 000003
【図２】
2014144689.tif 000004
【図３】
2014144689.tif 000005
【図４】
2014144689.tif 000006
【図５】
2014144689.tif 000007
【手続補正書】
【提出日】平成25年5月17日(2013.5.17)
【手続補正１】
【補正対象書類名】特許請求の範囲
【補正対象項目名】全文
【補正方法】変更
【補正の内容】
【特許請求の範囲】
【請求項１】
車両の底面に設けられた複数の制動手段と、
現在の車両状態を検出する車両状態検出手段と、
前記複数の制動手段の動作を制御する制動板制御手段と、を備え、
前記複数の制動手段は、それぞれ車両の底部と路面との接触面積を増減可能な制動板部を有するとともに、車両の底面の前端部、後端部、右側端部及び左側端部に設けられており、
前記車両状態検出手段により検出される現在の車両状態は、車両の姿勢、車両の走行速度、車両のブレーキに対する押圧力であり、
前記制動板制御手段は、前記車両状態検出手段により検出された前記車両状態に応じて、前記複数の制動手段に設けられた前記制動板部と路面との接触面積を増減する制御を行い、車両姿勢を直進状態に維持することを特徴とする制動距離短縮装置。
【請求項２】
車両に対する衝撃を感知する衝撃感知手段をさらに備え、
前記制動板制御手段は、前記衝撃感知手段により感知された車両に対する衝撃の方向に応じて、前記複数の制動手段が有する前記制動板部のうちのいずれかを路面と接触させることを特徴とする請求項１に記載の制動距離短縮装置。
【請求項３】
前記制動板部は、路面との接触面に接触部材を着脱自在としたことを特徴とする請求項１又は請求項２に記載の制動距離短縮装置。
【請求項４】
前記制動板制御手段は、前記車両状態検出手段により検出される現在の車両状態が停止状態のときに、前記複数の制動手段が有する前記制動板部を、手動操作で任意に選択して路面と接触させることを可能としたことを特徴とする請求項１〜３のいずれか１項に記載の制動距離短縮装置。
【手続補正２】
【補正対象書類名】明細書
【補正対象項目名】００１１
【補正方法】変更
【補正の内容】
【００１１】
上記の課題を解決するために、請求項１に記載の発明は、車両の底面に設けられた複数の制動手段と、現在の車両状態を検出する車両状態検出手段と、前記複数の制動手段の動作を制御する制動板制御手段と、を備え、前記複数の制動手段は、車両と路面との接触面積を増加させる制動板部をそれぞれ有するとともに、車両の底面の前端部、後端部、右側端部及び左側端部に設けられており、前記車両状態検出手段により検出される現在の車両状態は、車両の姿勢、車両の走行速度、車両のブレーキに対する押圧力であり、前記制動板制御手段は、前記車両状態検出手段により検出された前記車両状態に応じて、前記複数の制動手段に設けられた前記制動板部と路面との接触面積を増減する制御を行い、車両姿勢を直進状態に維持することを特徴とする制動距離短縮装置とした。
【手続補正３】
【補正対象書類名】明細書
【補正対象項目名】００１２
【補正方法】変更
【補正の内容】
【００１２】
請求項２に記載の発明は、請求項１に記載の制動距離短縮装置において、車両に対する衝撃を感知する衝撃感知手段をさらに備え、前記制動板制御手段は、前記衝撃感知手段により感知された車両に対する衝撃の方向に応じて、前記複数の制動手段が有する前記制動板部のうちのいずれかを路面と接触させることを特徴とする。
【手続補正４】
【補正対象書類名】明細書
【補正対象項目名】００１４
【補正方法】削除
【補正の内容】
【手続補正５】
【補正対象書類名】明細書
【補正対象項目名】００１５
【補正方法】変更
【補正の内容】
【００１５】
請求項４に記載の発明は、請求項１〜３の何れか１項に記載の制動距離短縮装置において、前記制動板制御手段は、前記車両状態検出手段により検出される現在の車両の走行速度が停止状態のときに、状態手動操作で前記制動板部を路面と接触させることを可能としたことを特徴とする。
【手続補正６】
【補正対象書類名】明細書
【補正対象項目名】００１７
【補正方法】変更
【補正の内容】
【００１７】
また、車両が４輪自動車の場合、自動車の底面の端部の複数の位置（例えば、前端の前輪間、後端の後輪間、右側端の右前輪と右後輪の間、左側端の左前輪と左後輪の間など）に制動手段を配置することにより、車両状態（具体的には、車両の姿勢、直線又はカーブなどの走行状態）に応じてバランス良く制動板部と路面との接触面積を増減させることができ、安全に車両の制動距離を短縮することが可能となる。
【手続補正７】
【補正対象書類名】明細書
【補正対象項目名】００１９
【補正方法】削除
【補正の内容】
【手続補正８】
【補正対象書類名】明細書
【補正対象項目名】００２０
【補正方法】変更
【補正の内容】
【００２０】
請求項４記載の発明によれば、制動板制御手段は、車両状態検出手段により、現在の車両状態の走行速度が“０”（つまり、停止状態）である時は、複数の制動手段が有する制動板部を、手動操作で任意に選択して路面と接触させることができるので、例えば、複数の制動手段をパンクした車輪を交換するときのジャッキ代わりに用いることが可能となる。